(57)【要約】  ２構成要素Ｕ字形ベースのファスナ（３０）は、少なくとも１つのリブ保持バーブ（７４，７６，７８，８０，８８，９０，９２，９４）を含むｕ字形外側構成要素（３２）と、少なくとも１つの開口保持ウイング（４８，５０）を含むｕ字形内側構成要素（３４）とを含む。外側構成要素（３２）と内側構成要素（３４）は、別々であり、かつ互いに結合して内部リブ受け入れキャビティ（６４）を定める組み付けユニットを生成し、この状態で少なくとも１つのリブ保持バーブ（７４，７６，７８，８０，８８，９０，９２，９４）が、内部リブ受け入れキャビティ（６４）の中に延び、内側構成要素（３４）の少なくとも１つの開口保持ウイング（４８，５０）が、外側構成要素（３２）から外部に延びている。【選択図】図１
2021515148.tif 000002
【特許請求の範囲】
【請求項１】
リブを有する第１の構成要素を開口を有する第２の構成要素に接続するための２構成要素Ｕ字形ベースのファスナであって、
少なくとも１つのリブ保持バーブを含むｕ字形外側構成要素と、
少なくとも１つの開口保持ウイングを含むｕ字形内側構成要素と、
を含み、
前記外側構成要素と前記内側構成要素は、別々であり、これらは、互いに結合して内部リブ受け入れキャビティを定める組み付けユニットを生成し、この状態で前記少なくとも１つのリブ保持バーブは、該内部リブ受け入れキャビティの中に延び、かつ該内側構成要素の前記少なくとも１つの開口保持ウイングは、該外側構成要素から外部に延びている、
ことを特徴とする２構成要素Ｕ字形ベースのファスナ。
【請求項２】
前記少なくとも１つのリブ保持バーブは、前記組み付けユニットを前記リブに結合するために前記第１の構成要素上の前記リブと係合可能であり、
前記少なくとも１つの開口保持ウイングは、前記組み付けユニットを前記第２の構成要素に結合するために該組み付けユニットが挿入される該第２の構成要素内の前記開口と係合可能である、
ことを特徴とする請求項１に記載の２構成要素Ｕ字形ベースのファスナ。
【請求項３】
前記外側構成要素は、第１の材料で作られ、前記内側構成要素は、該第１の材料とは異なる第２の材料で作られることを特徴とする請求項１又は請求項２に記載の２構成要素Ｕ字形ベースのファスナ。
【請求項４】
前記外側構成要素は、金属で作られ、前記内側構成要素は、プラスチックで作られることを特徴とする請求項１から請求項３のいずれか１項に記載の２構成要素Ｕ字形ベースのファスナ。
【請求項５】
前記少なくとも１つのリブ保持バーブは、第１のバーブ延長部によって前記外側構成要素に接続され、該第１のバーブ延長部は、該外側構成要素の第１の側部の第１の外側縁に接続され、かつ該外側構成要素の前記内部リブ受け入れキャビティの中に内向きに曲げられることを特徴とする請求項１から請求項４のいずれか１項に記載のＵ字形ベースのファスナ。
【請求項６】
前記少なくとも１つのリブ保持バーブは、第１のリブ保持バーブと第２のリブ保持バーブを含み、該第１のリブ保持バーブは、前記第１のバーブ延長部に接続され、該第２のリブ保持バーブは、第２のバーブ延長部に接続され、該第２のバーブ延長部は、前記第１の側部の第２の外側縁に接続され、かつ前記外側構成要素の前記内部リブ受け入れキャビティの中に内向きに曲げられることを特徴とする請求項５に記載の２構成要素Ｕ字形ベースのファスナ。
【請求項７】
内側構成要素が、前記組み付けユニット内の前記第１のバーブ延長部と前記第２のバーブ延長部の間で前記外側構成要素の前記内部リブ受け入れキャビティの中に受け入れられることを特徴とする請求項１から請求項６のいずれか１項に記載の２構成要素Ｕ字形ベースのファスナ。
【請求項８】
前記第１のバーブ延長部と前記第２のバーブ延長部との内側縁が、前記組み付けユニット内に前記内側構成要素が位置決めされるチャネルを定めることを特徴とする請求項６又は請求項７に記載の２構成要素Ｕ字形ベースのファスナ。
【請求項９】
前記第１のバーブ延長部と前記第２のバーブ延長部との前記内側縁の各々が、前記内側構成要素が前記外側構成要素の中に挿入される時に該内側構成要素を前記チャネルの中に誘導するために該チャネルに向けて角度の付いた面取り部を含むことを特徴とする請求項６から請求項８のいずれか１項に記載の２構成要素Ｕ字形ベースのファスナ。
【請求項１０】
前記第１の側部は、前記外側構成要素の第２の側部に接続され、それらは、孔を含む挿入端部で接続され、
前記内側構成要素は、前記外側構成要素の前記内部リブ受け入れキャビティ内で該内側構成要素を中心化するために前記孔を通って突出する支柱を含む、
ことを特徴とする請求項５から請求項９のいずれか１項に記載の２構成要素Ｕ字形ベースのファスナ。
【請求項１１】
前記外側構成要素は、第１の開口部を含む第１の側部を含み、前記少なくとも１つの開口保持ウイングは、前記内側構成要素を該外側構成要素に対して保持するために該第１の開口部を通って突出することを特徴とする請求項１から請求項１０のいずれか１項に記載の２構成要素Ｕ字形ベースのファスナ。
【請求項１２】
前記少なくとも１つの開口保持ウイングは、該少なくとも１つの開口保持ウイングの外面から離れるように突出する保持歯を含み、該保持歯は、前記内側構成要素が前記外側構成要素から外れることを防止するために前記第１の開口部の縁部に又はその近くに位置決めされることを特徴とする請求項１１に記載の２構成要素Ｕ字形ベースのファスナ。
【請求項１３】
前記少なくとも１つの開口保持ウイングは、第１の開口保持ウイングと第２の開口保持ウイングを含み、該第１の開口保持ウイングは、該第２の開口保持ウイングから離間しており、該第１の開口保持ウイングは、前記第１の側部で前記第１の開口部を通って突出し、該第２の開口保持ウイングは、前記外側構成要素の第２の側部の第２の開口部を通って突出することを特徴とする請求項１１に記載の２構成要素Ｕ字形ベースのファスナ。
【請求項１４】
リブを有する第１の部品を開口を有する第２の部品に接続するための２構成要素Ｕ字形ベースのファスナであって、
リブ保持バーブを含むｕ字形第１の構成要素と、
開口保持ウイングを含むｕ字形第２の構成要素と、
を含み、
前記リブ保持バーブを含む前記第１の構成要素は、第１の構造材料で形成され、前記開口保持ウイングを含む前記第２の構成要素は、該第１の構造材料とは異なる第２の構造材料で形成される、
ことを特徴とする２構成要素Ｕ字形ベースのファスナ。
【請求項１５】
前記第１の構成要素は、第２の側部から離間した第１の側部を含み、それらの間に中心リブ受け入れキャビティを有し、前記リブ保持バーブは、前記第１の部品の前記リブと係合するように該中心リブ受け入れキャビティの内側で角度が付いていることを特徴とする請求項１４に記載の２構成要素Ｕ字形ベースのファスナ。
【請求項１６】
前記第１の構造材料は、前記リブ保持バーブが前記第１の部品の前記リブと該リブがＵ字形ベースのファスナの中に挿入される時に係合することを可能にすることを特徴とする請求項１４又は請求項１５に記載の２構成要素Ｕ字形ベースのファスナ。
【請求項１７】
前記第２の構造材料は、前記開口保持ウイングが、前記第２の部品の前記開口と係合するために互いから離れるように撓んで戻る前に２構成要素Ｕ字形ベースのファスナが該第２の部品の該開口の中に挿入される時に、互いに向けて撓むことを可能にすることを特徴とする請求項１４から請求項１６のいずれか１項に記載の２構成要素Ｕ字形ベースのファスナ。
【請求項１８】
リブを有する第１の構成要素を開口を有する第２の構成要素に接続するための２構成要素Ｕ字形ベースのファスナであって、
内向きに延びるリブ保持バーブと各側部を通る開口部とを含むｕ字形外側構成要素と、
外向きに延びる開口保持ウイングを含み、該開口保持ウイングが前記外側構成要素の各側部上の前記開口部を通って外向きに延びる状態で該外側構成要素に受け入れられるｕ字形内側構成要素と、
を含み、
前記内側構成要素と前記第２の構成要素は、互いに結合して組み付けユニットを生成する別々の構成要素であり、
前記外側構成要素は、第１の構造材料で形成され、前記内側構成要素は、該第１の構造材料とは異なる第２の構造材料で形成される、
ことを特徴とする２構成要素Ｕ字形ベースのファスナ。
【請求項１９】
前記外側構成要素は、第１の側部と第２の側部を含み、該第１の側部は、該第２の側部から離間し、かつそれに接続され、それらの間に中心キャビティを有し、該外側構成要素は、該中心キャビティ内で該第１の側部から内向きに延びる第１のリブ保持バーブ及び第２のリブ保持バーブと、該中心キャビティ内で該第２の側部から内向きに延びる第３のリブ保持バーブ及び第４のリブ保持バーブとを更に含むことを特徴とする請求項１８に記載の２構成要素Ｕ字形ベースのファスナ。
【請求項２０】
前記内側構成要素は、前記第１及び第３のリブ保持バーブによって前記第１の側部上に及び前記第２及び第４のリブ保持バーブによって前記第２の側部上に定められたチャネル内で前記外側構成要素の中に受け入れられることを特徴とする請求項１８又は請求項１９に記載の２構成要素Ｕ字形ベースのファスナ。
【発明の詳細な説明】
【技術分野】
【０００１】
本発明の開示は、ファスナ及びより具体的には２構成要素Ｕ字形ベースの弾性ファスナに関する。
【背景技術】
【０００２】
この節は、必ずしも従来技術ではない本発明の開示に関連する背景情報を提供する。
【０００３】
様々なタイプのファスナは、製品、車両、及び他の環境で嵌合構成要素を接続するのに頻繁に使用されている。１つのタイプのファスナは、Ｕ字形ベースのファスナである。Ｕ字形ベースのファスナ（又はＵ字形ベースのクリップ）は、２つの嵌合構成要素を互いに容易に取り付けるのに特に使用される。１つの構成要素は、典型的には、Ｕ字形ベースのファスナの中心開口の中に受け入れられるリブのような特徴部を有し、リブは、Ｕ字形ベースのファスナ内に固定される。構成要素は、次に、Ｕ字形ベースのファスナを第２の構成要素内の開口部の中に挿入することによって第２の構成要素に固定することができる。Ｕ字形ベースのファスナのバーブ又は他の特徴部は、典型的には、Ｕ字形ベースのファスナの内側にリブを保持し、Ｕ字形ベースのファスナの外向きに延びるウイングは、Ｕ字形ベースのファスナを第２の構成要素内の開口部に固定する。
【発明の概要】
【発明が解決しようとする課題】
【０００４】
Ｕ字形ベースのファスナの１つの用途は、車両内の望ましい場所に構成要素を固定するという状況である。車両内のそのような構成要素は、内部トリム部品、外部トリム部品、ダッシュボード部品、及び様々な他のカバー及び装飾品などを含むことができる。構成要素は、金属、プラスチック、木材、又は複合材のような様々な材料で作られる場合がある。Ｕ字形ベースのファスナの設計に関わる１つの考慮は、従って、望ましい場所に固定するのに使用されることになるクリップの構成要素との適合性である。周囲構成要素とのＵ字形ベースのファスナの適合性は、周囲構成要素がＵ字形ベースのファスナの中に容易に挿入されることを可能にし、かつＵ字形ベースのファスナに構成要素を十分に保持してＵ字形ベースのファスナを開口部に保持しながらＵ字形ベースのファスナが開口部の中に挿入されることを可能にする。従って、様々な構成要素材料に及び様々な用途に適合するＵ字形ベースのファスナに対する必要性が存在する。
【課題を解決するための手段】
【０００５】
この節は、本発明の開示の全体的な要約を提供し、その完全な範囲又はその特徴の全ての包括的開示ではない。
【０００６】
本発明の開示による一例では、２構成要素Ｕ字形ベースのファスナは、リブを有する第１の構成要素を開口を有する第２の構成要素に接続するのに使用することができる。２構成要素Ｕ字形ベースのファスナは、少なくとも１つのリブ保持バーブを含むｕ字形外側構成要素と、少なくとも１つの開口保持ウイングを含むｕ字形内側構成要素とを含む。外側構成要素及び内側構成要素は、別々であり、かつ互いに結合して内部リブ受け入れキャビティを定める組み付けユニットを生成し、この状態で少なくとも１つのリブ保持バーブが、内部リブ受け入れキャビティの中に延び、内側構成要素の少なくとも１つの開口保持ウイングが、外側構成要素から外部に延びている。
【０００７】
一態様では、少なくとも１つのリブ保持バーブは、組み付けユニットをリブに結合するために第１の構成要素上のリブと係合可能であり、少なくとも１つの開口保持ウイングは、第２の構成要素内の開口と係合可能であり、ここで組み付けユニットは、組み付けユニットが第２の構成要素に結合するように挿入される。
【０００８】
本発明の開示による別の例示的実施形態では、２構成要素Ｕ字形ベースのファスナは、リブを有する第１の部品を開口を有する第２の部品に接続するのに使用することができる。二重部品Ｕ字形ベースのファスナは、リブ保持バーブを含むｕ字形第１の構成要素と、開口保持ウイングを含むｕ字形第２の構成要素とを含む。リブ保持バーブを含む第１の構成要素は、第１の構造材料で形成され、開口保持ウイングを含む第２の構成要素は、第１の構造材料とは異なる第２の構造材料で形成される。
【０００９】
本発明の開示による別の例示的実施形態では、２構成要素Ｕ字形ベースのファスナは、リブを有する第１の構成要素を開口を有する第２の構成要素に接続するのに使用することができる。２構成要素Ｕ字形ベースのファスナは、内向きに延びるリブ保持バーブと各側部を通る開口部とを含むｕ字形外側構成要素を含む。２構成要素Ｕ字形ベースのファスナはまた、外向きに延びる開口保持ウイングを含むｕ字形内側構成要素を含む。内側構成要素は、外側構成要素に受け入れられ、開口保持ウイングが、外側構成要素の各側部の開口部を通って外向きに延びる。内側構成要素及び第２の構成要素は、互いに結合して組み付けユニットを生成する別々の構成要素である。外側構成要素は、第１の構造材料で形成され、内側構成要素は、第１の構造材料とは異なる第２の構造材料で形成される。
【００１０】
適用性の更に別の分野は、本明細書に提供する説明から明らかになるであろう。この要約での説明及び特定の例は、単に例示目的を意図しており、本発明の開示の範囲を限定するように意図していない。
【００１１】
本明細書に説明する図面は、全ての可能な実施ではなく選択された実施形態の例示目的だけのためであり、本発明の開示の範囲を限定するように意図していない。
【図面の簡単な説明】
【００１２】
【図１】本発明の開示による例示的な２構成要素Ｕ字形ベースのファスナの斜視図である。
【図２】図１の例示的な２構成要素Ｕ字形ベースのファスナの側面立面図である。
【図３】図１の例示的な２構成要素Ｕ字形ベースのファスナの前面立面図である。
【図４】第１の部品のリブと第２の部品の開口とに結合されて示す図１の例示的な２構成要素Ｕ字形ベースのファスナの斜視図である。
【図５】図４と類似であるが異なる角度からの斜視図である。
【図６】図４の図の分解組立斜視図である。
【図７】図１の２構成要素Ｕ字形ベースのファスナの外側構成要素の斜視図である。
【図８】図７に示す外側構成要素の側面立面図である。
【図９】図７に示す外側構成要素の前面立面図である。
【図１０】図１の２構成要素Ｕ字形ベースのファスナの内側構成要素の斜視図である。
【図１１】図１０の内側構成要素の側面立面図である。
【図１２】図１０の内側構成要素の前面立面図である。
【００１３】
対応する参照番号は、図面のいくつかの図全体を通して対応する部品を指す。
【発明を実施するための形態】
【００１４】
ここで、添付図面を参照して例示的実施形態をより完全に以下に説明する。
【００１５】
図１−１２に示すように、１つの例示的な２構成要素Ｕ字形ベースのファスナ３０は、外側構成要素３２と内側構成要素３４を含むことができる。内側構成要素３４は、外側構成要素３２の中に受け入れられ、かつ必要に応じて外側構成要素３２から取り外すことができる。外側構成要素３２は、ファスナの中心キャビティ内に受け入れられた第１の部品のリブにＵ字形ベースのファスナ３０を固定するバーブを含むＵ字形ベースのファスナ３０の部分である。内側構成要素３４は、外側構成要素３２の内側に受け入れられ、かつ第２の部品内の開口にＵ字形ベースのファスナ３０を固定する保持ウイングを含むＵ字形ベースのファスナ３０の部分である。
【００１６】
図４−６に示すように、リブ３６は、第１の部品（図示しない）をＵ字形ベースのファスナ３０に固定するためにＵ字形ベースのファスナ３０の外側構成要素３２の中に挿入される。Ｕ字形ベースのファスナ３０は、次に、図示のように第２の部品又はパネル４０上の開口３８の中に挿入することができる。内側構成要素３４は、開口３８でパネル４０に係合してリブ３６を開口３８で固定する。このようにして、第１の部品は、第２の部品に対して固定することができる。
【００１７】
図１−３に戻って参照すると、外側構成要素３２は、互いから離間した第１の側部４２と第２の側部４４を含むことができる。第１の側部４２と第２の側部４４は、挿入端部４６で互いに接続される。この例では、挿入端部４６は、第１の側部４２、第２の側部４４、及び挿入端部４６が図２に示すようにＵ字形ベースのファスナ３０の側から見た時にＵ字形を生成するように丸くなっている。本明細書で考えているように、Ｕ字形は、図１−３に示す形状に対して変形を含むことができる。例えば、Ｕ字形は、リブ３６を第１及び第２の側部の間に挿入することができるように第１の側部が挿入端部で第２の側部に接続されるあらゆる適切な形状を意味することができる。用語Ｕ字形は、Ｖ字形、又は湾曲、平坦、又は非線形な側部又は挿入端部を有する他の形状を含む。
【００１８】
図示のように、内側構成要素３４は、外側構成要素３２のプロファイルに対応するプロファイルを有することができる。この例では、内側構成要素３４は、互いから離間した第１の保持ウイング４８と第２の保持ウイング５０を含む。第１の保持ウイング４８と第２の保持ウイング５０は、内側構成要素３４の挿入又は入れ子端部５２によって互いに接続することができる。入れ子端部５２は、外側構成要素３２の内側に入れ子にすることができる内側構成要素３４のｕ字形プロファイルを生成するために丸くすることができる。
【００１９】
図１−３及び図５に更に示すように、外側構成要素３２は、挿入端部４６に孔５４を含むことができる。図示の例では、孔５４は、挿入端部４６の中心での六角形開口部である。孔５４は、内側構成要素３４の入れ子端部５２上に位置付けられた支柱５６を受け入れるようなサイズにされる。この例では、支柱５６は、内側構成要素３４の入れ子端部５２から離れるように突出する円筒形突出部である。支柱５６が孔５４の中に挿入された時に、内側構成要素３４は、第１の側部４２と第２の側部４４の間で外側構成要素３２の内側に中心に置かれる。図示のように、支柱５６は、孔５４に位置決めすることができ、孔５４の縁部は、支柱５６の外面に間近に隣接して位置決めされる。このようにして、支柱５６は、内側構成要素３４の移動を平行移動方式で制限するか、又は内側構成要素３４が外側構成要素３２の内側で回転するのを制限することができる。
【００２０】
図７−９に示すように、第１の側部４２と第２の側部４４は、外側構成要素３２の挿入端部４６から離れるように延びて終点端部５８で終端することができる。このようにして、第１の側部４２と第２の側部４４は、リブ３６を挿入することができる外側構成要素３２の中心キャビティ６４を定める（図４を参照されたい）。第１の側部４２は、第１のフランジ６０を含むことができ、第２の側部４４は、第２のフランジ６２を含むことができる。第１のフランジ６０と第２のフランジ６２は、この例では、それぞれ第１の側部４２及び第２の側部４４から離れるように、かつ外側構成要素３２の中心キャビティ６４から離れるように曲がっている。外側構成要素３２のこの形状は、漏斗形状を生成することができ、それによって内側構成要素３４は、内側構成要素３４が外側構成要素３２の中に挿入される時に第１のフランジ６０及び第２のフランジ６２によって外側構成要素３２の中に誘導される。
【００２１】
図７−９に更に示すように、外側構成要素３２はまた、少なくとも１つのバーブ延長部及び少なくとも１つのバーブを含むことができる。図示の例では、外側構成要素３２は、第１のバーブ延長部６６、第２のバーブ延長部６８、第３のバーブ延長部７０、第４のバーブ延長部７２、第１のバーブ７４，第２のバーブ７６，第３のバーブ７８、及び第４のバーブ８０を含む。この例では、４つのバーブ延長部の各々及び４つのバーブの各々は、互いに類似である。第１のバーブ延長部６６と第１のバーブ７４をこれ以後説明するが、他のバーブ延長部及び他のバーブは、類似の構造を有することができ、かつ外側構成要素３２の反対側に対称配置又は鏡像配置することができることを認めなければならない。
【００２２】
図示のように、第１のバーブ７４は、第１のバーブ延長部６６によって外側構成要素３２の第１の側部４２に接続される。第１のバーブ延長部６６は、第１の側部４２の外側縁８２から横方向に離れるように延びる。第１のバーブ延長部６６の一部分は、外側縁８２の横方向外側に位置決めすることができる。第１のバーブ延長部６６は、次に、第１のバーブ延長部６６の一部分が、隣接する第１の側部４２の内面に重なるように、外側構成要素３２の中心キャビティ６４に向けて戻るように曲がる。従って、第１のバーブ延長部６６は、それが外側構成要素３２の中心キャビティ６４内で第１の側部４２と第２の側部４４の間に配置されるように折り返される。更に図示するように、第１のバーブ延長部６６の曲がった部分は、第１のバーブ延長部６６の曲がった部分が外側構成要素３２の終点端部５８から見た時にｕ字形を有するように丸くなった又は湾曲した形状を有する。第１のバーブ延長部６６の曲がった部分は、同じく他の形状又はプロファイルを有することができる。第１のバーブ延長部６６の曲がった部分は、他の例では、Ｖ字形又は矩形を有することができ、又はそれが実質的に平坦なプロファイルを有するように圧着することができる。
【００２３】
図９に示すように、外側構成要素３２の外側縁８２は、この例では、前面から見た時に線形ではない。外側縁８２は、終点端部５８に向けてオフセットされた部分を有する。見ることができるように、外側縁８２は、挿入端部４６から第１の部分に沿って上向きに延び、次に、外側構成要素３２の中心に向けて内向きに移動する。第１のバーブ延長部６６と第２のバーブ延長部６８は、図示のように外側縁８２のオフセット部分に位置決めすることができる。
【００２４】
第１のバーブ延長部６６は、この例では、外側構成要素３２の挿入端部４６に面する第１のバーブ延長部６６の部分に向けて位置付けられた曲げ部８４で第１のバーブ７４に接合される。第１のバーブ７４は、第１のバーブ７４の遠位端８６が外側構成要素３２の中心キャビティ６４の中に延びるように、内向きにかつ第１の側部４２から離れるように角度を付けることができる。第２のバーブ延長部６８と第２のバーブ７６は、第１のバーブ７４と第２のバーブ７６の各々が第１の側部４２から内向きに中心キャビティ６４の中に延びて挿入端部４６に向けて指向するように、図７及び８に示すように同様に構成することができる。
【００２５】
上記で議論したように、外側構成要素３２はまた、同様に構成されて外側構成要素３２の第２の側部４４上に対向して配置された第３のバーブ延長部７０、第３のバーブ７８、第４のバーブ延長部７２、及び第４のバーブ８０を含むことができる。認めることができるように、第１のバーブ７４と第３のバーブ７８は、互いに反対に位置付けられ、第２のバーブ７６と第４のバーブ８０も互いに反対に位置付けられる。対向するバーブの遠位端は、第１の側部４２及び第２の側部４４の間にかつ実質的にそれと平行に外側構成要素３２の中心キャビティ６４の中心に沿って配置されたほぼ同じ垂直平面で終端することができる。更に図示するように、対向するバーブ（第１のバーブ７４及び第３のバーブ７８のような）は、対向するバーブ（例えば、第１のバーブ７４及び第３のバーブ７８）の遠位端が異なる垂直高さに位置決めされるように異なる垂直高さで内向きに曲げることができる。
【００２６】
設置中に、リブ３６は、第１の側部４２と第２の側部４４の間で外側構成要素３２の中心キャビティ６４の中に挿入することができる。リブ３６は、バーブと接触してそれを超して押し入り、バーブをリブ３６と係合させてそれを保持させる。リブ３６が外側構成要素３２の中心キャビティ６４から取り出されそうになる場合に、リブ３６のそのような移動は、バーブによって抵抗される。認めることができるように、バーブの遠位端は、リブ３６の面と係合してリブ３６が不用意に取り出されることを防止する。
【００２７】
第１のバーブ７４、第２のバーブ７６、第３のバーブ７８、及び／又は第４のバーブ８０は、上述したようにリブ３６と係合するあらゆる適切な形状又はプロファイルを有することができる。これに加えて、外側構成要素３２は、バーブ延長部の各々で単一バーブを含むことができる。図示の例では、しかし、２つのバーブが、第１のバーブ延長部６６、第２のバーブ延長部６８、第３のバーブ延長部７０、及び第４のバーブ延長部７２から外向きに突出している。すなわち、外側構成要素３２は、図示の例では、第５のバーブ８８、第６のバーブ９０、第７のバーブ９２，及び第８のバーブ９４を含む。第５のバーブ８８は、第１のバーブ７４に隣接して第１のバーブ延長部６６に接続される。第６のバーブ９０は、第２のバーブ７６に隣接して第２のバーブ延長部６８に接続される。第７のバーブ９２は、第３のバーブ７８に隣接して第３のバーブ延長部７０に接続される。第８のバーブ９４は、第４のバーブ８０に隣接して第４のバーブ延長部７２に接続される。
【００２８】
図７及び８に示すように、第１のバーブ７４と第５のバーブ８８は、第１のバーブ７４及び第５のバーブ８８の遠位端が挿入端部４６に関して異なる垂直高さに位置決めされるように異なる長さを有することができる。第１のバーブ７４と第５のバーブ８８は、第１のバーブ７４及び第５のバーブの遠位端が、第１の側部４２から中心キャビティ６４の中にほぼ同じ内向き距離を内向きに突出するように、実質的に類似の角度で第１のバーブ延長部６６から離れるように傾斜することができる。この構成を用いて、第１のバーブ７４と第５のバーブ８８は、リブ３６上の異なる垂直高さでリブ３６と係合するように構成することができる。
【００２９】
第２のバーブ７６と第６のバーブ９０、並びに第３のバーブ７８と第７のバーブ９２及び第４のバーブ８０と第８のバーブ９４は、上述したように互いに対して同様に位置決めすることができる。他の例では、バーブ延長部上の１対のバーブ（例えば、第１のバーブ７４と第５のバーブ８８）は、異なるサイズのリブを受け入れるために又は他に外側構成要素３２の保持力（又は挿入力）を増加又は低減するのに必要である場合に上述のもの以外の他の形状、長さ、及び相対角度を有することができる。
【００３０】
図７−９に更に示すように、外側構成要素３２は、第１のバーブ延長部６６、第２のバーブ延長部６８、第３のバーブ延長部７０、及び第４のバーブ延長部７２で終点端部５８に位置決めされたガイドタブ９６を含むことができる。ガイドタブ９６は、第１のフランジ６０及び第２のフランジ６２と類似の方向に外側構成要素３２から内向きに突出することができる。ガイドタブ９６はまた、外側構成要素３２の中心キャビティ６４から離れるように外向きに傾斜することができる。従って、ガイドタブ９６は、リブ３６が外側構成要素３２の中に挿入される時に外側構成要素３２の中心キャビティ６４の中にリブ３６を誘導するのを支援することができる。
【００３１】
ガイドタブ９６はまた、ガイドタブ９６の内縁１００上に位置決めされた面取り部９８を含むことができる。面取り部９８は、第１の側部４２及び第２の側部４４の中心に向けて内向きに角度の付いた傾斜縁部である。面取り部９８は、内側構成要素３４を外側構成要素３２の中に誘導するのを支援することができる。内縁１００は、外側構成要素３２の挿入端部４６に向けてバーブ延長部の縁部に沿って続いている。このようにして、内縁１００は、外側構成要素３２の中心に内側構成要素３４がそれが外側構成要素３２の中に挿入される時に摺動するチャネル１１６を定める。
【００３２】
更に図示するように、外側構成要素３２は、第１の側部４２及び第２の側部４４にそれぞれ第１の開口部１０２及び第２の開口部１０４を含むことができる。第１の開口部１０２は、第１のバーブ延長部６６と第２のバーブ延長部６８との内縁１００の間で第１の側部４２の中心に位置決めすることができる。第２の開口部１０４は、第３のバーブ延長部７０と第４のバーブ延長部７２との内縁１００の間で第２の側部４４の中心に位置決めすることができる。図示の例では、第１の開口部１０２と第２の開口部１０４は、終点端部５８と挿入端部４６の間の方向に細長である矩形細長スロットである。第１の開口部１０２と第２の開口部１０４は、内側構成要素３４が外側構成要素３２の中に挿入される時に内側構成要素３４の第１の保持ウイング４８と第２の保持ウイング５０がそれぞれ第１の開口部１０２と第２の開口部１０４を通して外側構成要素３２の中心キャビティ６４から外向きに突出することができるようなサイズにされる。
【００３３】
ここで図１０−１２を参照すると、内側構成要素３４は、上述のように第１の保持ウイング４８と第２の保持ウイング５０を含むことができる。第１の保持ウイング４８と第２の保持ウイング５０は、入れ子端部５２で互いに接続することができ、かつ入れ子端部５２から離れるように後端１０６まで延びる。第１の保持ウイング４８は、入れ子端部５２から第１の肩部１０８まで外向きに突出することができる。第１の保持ウイング４８は、次に、第１の肩部１０８と後端１０６の間に位置付けられた内側構成要素３４の領域で内側構成要素３４の中心に向けて戻るように角度を付けることができる。第２の保持ウイング５０は、同様に成形することができ、かつ入れ子端部５２から第２の肩部１１０まで外向きに突出することができる。第２の保持ウイング５０は、次に、第２の肩部１１０と後端１０６の間の第２の保持ウイング５０領域で内側構成要素３４の中心に向けて戻るように角度を付けることができる。
【００３４】
図１０−１２に示す例では、内側構成要素３４は、丸いひし形を有する。第１の保持ウイング４８と第２の保持ウイング５０は、互いに向けて撓むことができ、次に、それらの元の位置に戻ることができる。このようにして、内側構成要素３４は、Ｕ字形ベースのファスナ３０がパネル４０の開口３８の中に挿入される時に変形することができる。第１の保持ウイング４８と第２の保持ウイング５０は、図５に示すようにパネル４０内の開口３８に係合してＵ字形ベースのファスナ３０をパネル４０に対して保持することができる。
【００３５】
他の例では、内側構成要素３４は、他の形状を有するか又は他のプロファイルを有することができる。１つのそのような代替例では、第１の保持ウイング４８及び／又は第２の保持ウイング５０は、第１の肩部１０８と後端１０６の間及び／又は第２の肩部１１０と後端１０６の間で凸面形状（図１１に示すようなほぼ凸面又は平坦形状ではなく）を有することができる。そのような例では、第１の肩部１０８と第２の肩部１１０は、Ｕ字形ベースのファスナが開口３８の中に挿入される時にパネル４０に隣接して位置決めされるように設計された局所平坦セクションを有することができる。そのような局所平坦区域は、第１の肩部１０８及び／又は第２の肩部１１０への凸面部分の移行部でのステップ（図示しない）とすることができる。
【００３６】
Ｕ字形ベースのファスナ３０をパネル４０に対して保持することに加えて、第１の保持ウイング４８と第２の保持ウイング５０はまた、内側構成要素３４を外側構成要素３２に対して保持することができる。第１の保持ウイング４８と第２の保持ウイング５０は、第１の開口部１０２と第２の開口部１０４との横幅よりも小さい横幅を有する。従って、第１の保持ウイング４８と第２の保持ウイング５０は、内側構成要素３４が外側構成要素３２の中に挿入される時にそれぞれ第１の開口部１０２と第２の開口部１０４を通って突出することができる。
【００３７】
図１、３、及び７に示すように、第１の保持ウイング４８と第２の保持ウイング５０は、各々が保持歯１１２を含むことができる。保持歯１１２は、第１の肩部１０８と後端１０６の間の位置で第１の保持ウイング４８の外面から突出する突起である。保持歯１１２は、図示の例では、保持歯１１２が第１の開口部１０２の上縁１１４の又はその近くの位置に存在するような位置で第１の保持ウイング４８の横断方向に沿って細長である。保持歯１１２は、内側構成要素３４が外側構成要素３２の終点端部５８に向けた方向に移動される場合に第１の開口部１０２の上縁１１４に当接することができる平坦面を有することができる。このようにして、保持歯１１２は、内側構成要素３４が外側構成要素３２の終点端部５８に向けた方向に移動することを制限する。保持歯１１２は、内側構成要素３４が外側構成要素３２から外れることを防止する。第２の保持ウイング５０も、その外面に沿って位置決めされて外側構成要素３２に対する内側構成要素３４の移動を更に抑制し、かつ内側構成要素３４が外側構成要素３２から外れることを防止するために第２の開口部１０４とインタフェースする同様に位置決めされた保持歯１１２を含むことができる。
【００３８】
他の例では、保持歯１１２は、外側構成要素３２に対する内側構成要素３４の移動を制限する他の形状又はプロファイルを有することができる。例えば、保持歯１１２は、第１の開口部１０２又は第２の開口部１０４のインタフェース部分に又はその近くに位置決めされた溝又は別様に成形された突起とすることができる。更に他の例では、保持歯１１２は、第１の開口部１０２又は第２の開口部１０４の側縁上の相補的な溝又は突起とインタフェースすることができる。
【００３９】
一例では、Ｕ字形ベースのファスナ３０は、異なる材料で作られた外側構成要素３２と内側構成要素３４を含む。例えば、外側構成要素３２は、鋼鉄から穿孔され、型打ちされ、又は他に形成することができ、内側構成要素３４は、プラスチックから成形することができる。一例では、外側構成要素３２は、ＳＡＥ  １０５０炭素鋼で作られ、かつ熱処理されるか又は適切な耐食性コーティングを設けることができる。内側構成要素３４は、ポリオキシメチレン（ＰＯＭ）、適切なナイロン（例えば、ＰＡ６６又はＰＡ１２）、又は他の熱可塑性物質で成形することができる。他の例では、他の材料を使用することができる。
【００４０】
外側構成要素３２と内側構成要素３４は、構造材料で作ることができる。本発明の開示に使用される時に、用語「構造材料」は、構成要素又は部材にその主要構造特性を与える材料を意味する。例えば、バーブの構造材料は、それらにバーブをリブに結合するのに必要な主要構造特性（例えば、弾性）を与える。同様に、保持ウイングの構造材料は、それらにウイングを本明細書に説明するような開口に結合するのに必要な主要構造特性（例えば、弾性）を与える。対照的に、構造材料によって担持される可撓性シーラント材料は、それが単に２次的な「非構造」材料であるので構造材料ではない。例えば、外側構成要素３２は、第１のバーブ７４（又は他のバーブ）がリブ３６に係合してＵ字形ベースのファスナをリブ３６に保持することを可能にする構造材料で作ることができる。上述のように、そのような構造材料は、適切な炭素鋼材料とすることができる。内側構成要素３４はまた、第１の保持ウイング４８及び／又は第２の保持ウイング５０が開口３８に係合してＵ字形ベースのファスナ３０をパネル４０に保持することを可能にする構造材料で作ることができる。上述したように、そのような構造材料は、適切なナイロン又は他の熱可塑性物質とすることができる。
【００４１】
既存のファスナ設計では、ファスナは、多くの場合に単一タイプの材料で作ることができる。そのような既存設計は、完全に鋼鉄又は完全にプラスチックで作られたファスナを多くの場合に含む。そのような単一材料ファスナは、本発明の開示の２構成要素Ｕ字形ベースのファスナによって解決することができる問題を呈している。全鋼鉄ファスナがパネル内の開口部の中に挿入される時に、鋼鉄ファスナは、パネル内の開口部を塑性変形するか又は長期使用の後でパネルの開口部に塑性変形を引き起こす可能性がある。塑性変形は、パネル内の開口部の形状を拡張する又は変化させる可能性がある。これは、次に、ファスナがパネル内の開口部で緩むことを引き起こす可能性がある。この理由のために、ファスナの１又は２以上の要素がパネル材料のものと同じ材料で又は適合する材料で作られることを望ましいとすることができる。例えば、第１及び／又は第２の保持ウイング４８、５０が、開口３８を有するパネル４０がプラスチック材料で作られる状況ではプラスチック材料で作られることを望ましいとすることができる。
【００４２】
既存の全プラスチックファスナでは、全プラスチックファスナは、上述のようなバーブを有するのではなく、多くの場合に窓−係合ファスナである。そのような窓−係合ファスナでは、窓−係合ファスナは、リブの窓に係合する保持アームを有することができる。窓は、リブの面を通る開口部である。窓−係合ファスナの保持アームは、可撓性であり、かつ窓の縁部を把持して窓−係合ファスナをリブに対して保持する。保持アームが窓に係合するためには、そのような窓−係合ファスナの保持アームをリブの窓を越して挿入することが多くの場合に必要である。窓−係合ファスナのそのような過剰移動は、リブ又はリブに接続された部品に損傷を引き起こす可能性がある。本発明の開示のＵ字形ベースのファスナは、リブ保持バーブを使用してリブに係合するので、本発明の開示のＵ字形ベースのファスナのそのような過剰移動は不要である。すなわち、本発明の開示のＵ字形ベースのファスナは、窓−係合ファスナを置換する状況に使用することができる。更に、窓を有するリブは、リブに窓を生成するアクションを用いて複合成形ツールコアを追加するためのパッケージング空間を持たない既存の成形ツールに追加することができないので、本発明の開示のＵ字形ベースのファスナは、窓−係合ファスナを使用することができない状況に使用することができる。
【００４３】
本発明の開示の２構成要素Ｕ字形ベースのファスナはまた、単一材料及び／又は単一構成要素設計の他の利点を提供することができる。本発明の開示のＵ字形ベースのファスナの他の例では、異なる内側構成要素３４を共通の外側構成要素３２と共に使用することができる。例えば、共通の外側構成要素３２は、複数の異なる内側構成要素３４と共に使用することができる。そのような例では、異なる内側構成要素３４は、異なる材料で作られたパネル４０に適合するように異なる材料で作ることができる。異なる内側構成要素３４は、図１０−１２に示すものと同じか又は類似の形状を有することもできるが、異なる厚みを有するパネル４０を受け入れることができる異なる第１の保持ウイング４８及び／又は異なる第２の保持ウイング５０を有することができる。そのような例では、入れ子端部５２に対する第１の肩部１０８の垂直場所及び／又は第２の肩部１１０の垂直場所は、第１の保持ウイング４８及び／又は第２の保持ウイング５０が、Ｕ字形ベースのファスナ３０を異なる厚みを有するパネル４０に対して保持することができるように、異なる内側構成要素３４の間で増加又は低減することができる。
【００４４】
上述の例示的な２構成要素Ｕ字形ベースのファスナでは、異なる内側構成要素３４は、異なる色の材料で作ることができる。そのような異なる色を使用して、内側構成要素３４に適合するパネル４０のタイプ及び／又は厚みを示すことができる。他の例では、内側構成要素３４の適合性又はＵ字形ベースのファスナ３０の適合性を示すのに他のインジケータを使用することができる。
【００４５】
他の状況では、部品は、単純なリブ塔（すなわち、窓なしのリブ塔）以外の構造の追加を許さない形状又は他の特徴を有する場合がある。本発明の開示の２構成要素Ｕ字形ベースのファスナは、そのような部品を望ましい場所に固定するためにそのような単純なリブ塔と共に使用することができる。これに加えて、本発明の開示のＵ字形ベースのファスナの折り返されたバーブ延長部は、Ｕ字形ベースのファスナが既存のＵ字形ベースのファスナと比較して相対的に短い幅を有することを可能にする。すなわち、本発明の開示のＵ字形ベースのファスナは、より短い幅のファスナが要求される用途に使用することができる。
【００４６】
実施形態の以上の説明は、例示と説明の目的で提供したものである。包括的であるように又は開示を限定するように意図していない。特定の実施形態の個々の要素又は特徴は、一般的にその特定の実施形態に限定されず、むしろ適用可能な場合に交換可能であり、かつ具体的に図示又は説明されない場合でさえも選択された実施形態に使用することができる。同じことは、多くの方法で変化する場合もある。そのような変形は、本発明の開示からの逸脱とは見なされないものとし、全てのそのような修正は、本発明の開示の範囲内に含まれるように意図している。
【００４７】
本発明の開示の実施形態の完全な理解を提供するために、特定の構成要素、デバイス、方法の実施例のような多くの具体的な詳細を列挙している。具体的な詳細は使用する必要がないこと、例示的実施形態は多くの異なる形態に具現化される場合があること、及びどれも本発明の開示の範囲を限定するように解釈してはならないことは当業者に明らかであろう。一部の例示的実施形態では、公知の処理、公知のデバイス構造、及び公知の技術は、詳細に説明していない。
【００４８】
用語第１、第２、第３などは、様々な部材、構成要素、領域、層、及び／又はセクションを説明するのに本明細書に使用されるが、これらの部材、構成要素、領域、層、及び／又はセクションは、これらの用語によって限定されてはならない。これらの用語は、１つの部材、構成要素、領域、層、及び／又はセクションを別の領域、層、及び／又はセクションから区別するのに単に使用される。本明細書に使用される時の「第１」、「第２」のような用語及び他の数値用語は、文脈が明確に示さない限り、シーケンス又は順番を意味しない。
【００４９】
「内側」、「外側」、「下」、「下方」、「下側」、「上方」、及び「上側」などのような空間的相対用語は、図面に示す時に１つの要素又は特徴の別の要素又は特徴に対する関係を説明するための説明を容易にするために本明細書に使用されている。空間的相対用語は、図面に描く向きに加えてデバイスの異なる向きを包含するように意図している。
【符号の説明】
【００５０】
３０  ２構成要素Ｕ字形ベースのファスナ
３２  外側構成要素
３４  内側構成要素
４２  第１の側部
４６  挿入端部
【図１】
2021515148.tif 000003
【図２】
2021515148.tif 000004
【図３】
2021515148.tif 000005
【図４】
2021515148.tif 000006
【図５】
2021515148.tif 000007
【図６】
2021515148.tif 000008
【図７】
2021515148.tif 000009
【図８】
2021515148.tif 000010
【図９】
2021515148.tif 000011
【図１０】
2021515148.tif 000012
【図１１】
2021515148.tif 000013
【図１２】
2021515148.tif 000014
【国際調査報告】
2021515148.tif 000015
2021515148.tif 000016
2021515148.tif 000017